(57)【要約】【課題】小型かつ薄型で、広帯域で有効、しかも安価に製造可能な折り曲げ広帯域アンテナ及びその使用方法を提供する。【解決手段】外形が長方形状で、長手方向と直交する向きのスリット２が長辺から形成された板状導体１と、板状導体１のスリット２と平行な辺から垂直に立ち上がる側面導体３と、側面導体３の端部からスリット２側へ向かって板状導体１と平行に設置された背面導体４とを備え、板状導体１には、スリット２を挟んで側面導体３とは反対側に同軸ケーブル５の同軸外側導体７が、側面導体３と同じ側に同軸ケーブル５の同軸中心導体６が電気的に接続されている。【選択図】図１
2007312024.tif 000002
【特許請求の範囲】
【請求項１】
外形が長方形状で、長手方向と直交する向きのスリットが長辺から形成された板状導体と、
前記板状導体の前記スリットと平行な辺から垂直に立ち上がる側面導体と、
前記側面導体の端部から前記スリット側へ向かって前記板状導体と平行に設置された背面導体とを備え、
前記板状導体には、前記スリットを挟んで前記側面導体とは反対側に線路の一方が、前記側面導体と同じ側に前記線路の他方が電気的に接続されていることを特徴とする折り曲げ広帯域アンテナ。
【請求項２】
前記線路は、同軸ケーブルであり、前記同軸ケーブルの同軸外部導体が前記スリットを挟んで前記側面導体とは反対側に、前記同軸ケーブルの同軸中心導体がスリットを挟んで前記側面導体と同じ側に電気的に接続されていることを特徴とする請求項１記載の折り曲げ広帯域アンテナ。
【請求項３】
前記同軸外部導体は、前記板状導体と一点で電気的に接続されていることを特徴とする請求項２記載の折り曲げ広帯域アンテナ。
【請求項４】
前記同軸外部導体は、前記板状導体と線接触することによって電気的に接続されていることを特徴とする請求項２記載の折り曲げ広帯域アンテナ。
【請求項５】
前記板状導体と前記側面導体と前記背面導体とが、一枚の導体板を折り曲げて一体に形成されたことを特徴とする請求項１から４のいずれか１項記載の折り曲げ広帯域アンテナ。
【請求項６】
プリント基板の一方の面に設けられスリットを備えた板状導体と、
表面導体と背面導体とが側面導体を介して連結された断面視略コの字形状で、前記プリント基板の端部を覆うようにして前記表面導体が前記板状導体と電気的に接続されたコの字導体とを有し、
前記プリント基板には、前記板状導体が設けられた面とは反対側の面に、前記板状導体と対になってマイクロストリップ線路を形成するマイクロストリップラインが前記スリットを跨ぐように設けられており、
前記スリットよりも前記コの字導体が配置された側に近い位置でスルーホールによって前記マイクロストリップラインと前記板状導体とが電気的に接続されていることを特徴とする折り曲げ広帯域アンテナ。
【請求項７】
プリント基板の一方の面に設けられスリットを備えた板状導体と、
前記プリント基板の他方の面に設けられた背面導体と、
断面視略コの字形状で、前記背面導体に電気的に接続されたコの字導体とを有し、
前記プリント基板には、前記板状導体が設けられた面とは反対側の面に、前記板状導体と対になってマイクロストリップ線路を形成するマイクロストリップラインが前記スリットを跨ぐように設けられており、
前記スリットよりも前記コの字導体が配置された側に近い位置で第１のスルーホールによって前記マイクロストリップラインと前記板状導体とが電気的に接続され、
前記板状導体と前記背面導体とが第２のスルーホールによって電気的に接続されていることを特徴とする折り曲げ広帯域アンテナ。
【請求項８】
前記スリットが前記プリント基板の長手方向と同じ向きに形成されていることを特徴とする請求項６又は７記載の折り曲げ広帯域アンテナ。
【請求項９】
プリント基板の一方の面に設けられスリットを備えた板状導体と、
表面導体と背面導体とが側面導体を介して連結された断面視略コの字形状で、前記プリント基板の端部を覆うようにして前記表面導体が前記板状導体に電気的に接続されたコの字導体とを有し、
前記プリント基板には、前記板状導体が設けられた面とは反対側の面に、前記板状導体と対になってマイクロストリップ線路を形成するマイクロストリップラインが前記スリットを跨ぐように設けられていることを特徴とする折り曲げ広帯域アンテナ。
【請求項１０】
前記マイクロストリップラインの端部の線路が拡大されリターンロス調整部が形成されていることを特徴とする請求項９記載の折り曲げ広帯域アンテナ。
【請求項１１】
絶縁体の一方の面に設けられスリットを備えた板状導体と、
表面導体と背面導体とが側面導体を介して連結された断面視略コの字形状で、前記絶縁体の端部を覆うようにして前記表面導体が前記板状導体に電気的に接続されたコの字導体とを有し、
前記絶縁体には、前記板状導体が設けられた面とは反対側の面に、前記スリットを跨ぐように給電導体が設けられていることを特徴とする折り曲げ広帯域アンテナ。
【請求項１２】
前記絶縁体が可撓性を有することを特徴とする請求項１１記載の折り曲げ広帯域アンテナ。
【請求項１３】
前記絶縁体に、他の部材への貼り付け手段が設けられたことを特徴とする請求項１１又は１２記載の折り曲げ広帯域アンテナ。
【請求項１４】
請求項１３記載の折り曲げ広帯域アンテナの使用方法であって、前記貼り付け手段を用いて前記折り曲げ広帯域アンテナを衣服に貼り付けることを特徴とする折り曲げ広帯域アンテナの使用方法。
【発明の詳細な説明】
【技術分野】
【０００１】
本発明は、金属板及び誘電体プリント基板で構成するアンテナに関し、特に、小型で広帯域なアンテナ素子及びその使用方法に関する。
【背景技術】
【０００２】
近年、地上波デジタル放送のテレビ受信用アンテナや、ＵＷＢ（Ultra Wide Band）技術を用いたワイヤレスＴＶ用のアンテナにおいては、非常に広い帯域のアンテナが必要となっている。
【０００３】
例えば、ＵＷＢ技術を用いた通信では、３．１ＧＨｚ〜４．９ＧＨｚの周波数帯域が想定されている。
【０００４】
従来の広帯域アンテナとしては、図１６に示すような構造のものがある。このアンテナは、特許文献１の「プレートアンテナ及びそのアンテナを備えるテレビ受像機」に開示されるものであり、板状導体１０１の一端にスリット１０２を設け、同軸ケーブル１０５にて給電する構造である。
【０００５】
また、最近の電子機器、例えばＵＳＢインタフェースの機器は、ＵＳＢ（Universal Serial Bus）メモリに代表されるようにコンパクトである必要がある。
【０００６】
アンテナの小型化に関する従来技術としては、特許文献２の「無線装置」に開示されるアンテナがある。
【特許文献１】特開２００５−２０３８３０号公報
【特許文献２】特開２００４−２１５１３２号公報
【発明の開示】
【発明が解決しようとする課題】
【０００７】
特許文献１に開示されるこのアンテナは、広帯域な特性が得られるが、寸法が大きくなるという欠点がある。特許文献１によれば、最低使用周波数４７０ＭＨｚにおいて２１０ｍｍ×２１０ｍｍの大きさとなり、波長換算で０．３波長×０．３波長となる。この寸法は、電子機器の小型化に対する要求を十分に満たすものではない。
【０００８】
また、特許部文献２に開示される発明は、いわゆるノッチアンテナに関するものであり、広帯域化は困難である。さらに、回路基板そのものを一体的に折り曲げるため、薄型化が困難であるだけでなく、回路基板の折り曲げに伴う製造コストの高騰が避けられない。
【０００９】
本発明はかかる問題に鑑みてなされたものであり、小型かつ薄型で、広帯域で有効、しかも安価に製造可能な折り曲げ広帯域アンテナ及びその使用方法を提供することを目的とする。
【課題を解決するための手段】
【００１０】
上記目的を達成するため、本発明は、第１の態様として、外形が長方形状で、長手方向と直交する向きのスリットが長辺から形成された板状導体と、板状導体のスリットと平行な辺から垂直に立ち上がる側面導体と、側面導体の端部からスリット側へ向かって板状導体と平行に設置された背面導体とを備え、板状導体には、スリットを挟んで側面導体とは反対側に線路の一方が、側面導体と同じ側に線路の他方が電気的に接続されていることを特徴とする折り曲げ広帯域アンテナを提供するものである。
【００１１】
本発明の第１の態様においては、線路は、同軸ケーブルであり、同軸ケーブルの同軸外部導体がスリットを挟んで側面導体とは反対側に、同軸ケーブルの同軸中心導体がスリットを挟んで側面導体と同じ側に電気的に接続されていることが好ましく、これに加えて、同軸外部導体は、板状導体と一点で電気的に接続されていること、又は、同軸外部導体は、板状導体と線接触することによって電気的に接続されていることがより好ましい。
【００１２】
本発明の第１の態様の上記のいずれの構成においても、板状導体と側面導体と背面導体とが、一枚の導体板を折り曲げて一体に形成されることが好ましい。
【００１３】
上記目的を達成するため、本発明は、第２の態様として、プリント基板の一方の面に設けられスリットを備えた板状導体と、表面導体と背面導体とが側面導体を介して連結された断面視略コの字形状で、プリント基板の端部を覆うようにして表面導体が板状導体と電気的に接続されたコの字導体とを有し、プリント基板には、板状導体が設けられた面とは反対側の面に、板状導体と対になってマイクロストリップ線路を形成するマイクロストリップラインがスリットを跨ぐように設けられており、スリットよりもコの字導体が配置された側に近い位置でスルーホールによってマイクロストリップラインと板状導体とが電気的に接続されていることを特徴とする折り曲げ広帯域アンテナを提供するものである。
【００１４】
また、上記目的を達成するため、本発明は、第３の態様として、プリント基板の一方の面に設けられスリットを備えた板状導体と、プリント基板の他方の面に設けられた背面導体と、断面視略コの字形状で、背面導体に電気的に接続されたコの字導体とを有し、プリント基板には、板状導体が設けられた面とは反対側の面に、板状導体と対になってマイクロストリップ線路を形成するマイクロストリップラインがスリットを跨ぐように設けられており、スリットよりもコの字導体が配置された側に近い位置で第１のスルーホールによってマイクロストリップラインと板状導体とが電気的に接続され、板状導体と背面導体とが第２のスルーホールによって電気的に接続されていることを特徴とする折り曲げ広帯域アンテナを提供するものである。
【００１５】
本発明の第２又は第３の態様においては、スリットがプリント基板の長手方向と同じ向きに形成されていることが好ましい。
【００１６】
また、上記目的を達成するため、本発明は、第４の態様として、プリント基板の一方の面に設けられスリットを備えた板状導体と、表面導体と背面導体とが側面導体を介して連結された断面視略コの字形状で、プリント基板の端部を覆うようにして表面導体が板状導体に電気的に接続されたコの字導体とを有し、プリント基板には、板状導体が設けられた面とは反対側の面に、板状導体と対になってマイクロストリップ線路を形成するマイクロストリップラインがスリットを跨ぐように設けられていることを特徴とする折り曲げ広帯域アンテナを提供するものである。
【００１７】
本発明の第４の態様においては、マイクロストリップラインの端部の線路が拡大されリターンロス調整部が形成されていることが好ましい。
【００１８】
また、上記目的を達成するため、本発明は、第５の態様として、絶縁体の一方の面に設けられスリットを備えた板状導体と、表面導体と背面導体とが側面導体を介して連結された断面視略コの字形状で、絶縁体の端部を覆うようにして表面導体が板状導体に電気的に接続されたコの字導体とを有し、絶縁体には、板状導体が設けられた面とは反対側の面に、スリットを跨ぐように給電導体が設けられていることを特徴とする折り曲げ広帯域アンテナを提供するものである。
【００１９】
本発明の第５の態様においては、絶縁体が可撓性を有することが好ましい。また、絶縁体に、他の部材への貼り付け手段が設けられることが好ましい。
【００２０】
また、上記目的を達成するため、本発明は、第６の態様として、上記本発明の第５の態様に係り、貼り付け手段を備えた折り曲げ広帯域アンテナの使用方法であって、貼り付け手段を用いて折り曲げ広帯域アンテナを衣服に貼り付けることを特徴とする折り曲げ広帯域アンテナの使用方法を提供するものである。
【発明の効果】
【００２１】
本発明によれば、小型かつ薄型で、広帯域で有効、しかも安価に製造可能な折り曲げ広帯域アンテナ及びその使用方法を提供できる。
【発明を実施するための最良の形態】
【００２２】
〔発明の原理〕
本発明にかかる折り曲げ広帯域アンテナは、板状導体の長手方向の一端にスリット２を設け、直交する片端に側面導体を付加し、さらに背面導体を付加した構成である。板状導体、側面導体及び背面導体を一つの金属板を折り曲げて形成することにより、安価に形成できる。
給電は、同軸ケーブルで行い、前述の板状導体のスリットが設けられた面のスリットの直前まで同軸外部導体を電気的に接続し、同軸中心導体をスリットをまたいだ向こう岸の導体部分に接続する。これにより、板状導体と同軸ケーブルとによって広帯域に有効なループアンテナが形成される。
なお、電気的には、プリント基板を用いて同様の給電構造とすることも可能である。
【００２３】
以下、上記原理に基づく本発明の好適な実施の一例について図面を用いて以下に説明する。
【００２４】
〔第１の実施形態〕
本発明を好適に実施した第１の実施形態について説明する。図１に、本実施形態にかかる折り曲げ広帯域アンテナの構成を示す。この折り曲げ広帯域アンテナは、板状導体１の短手方向の一端（長辺）にスリット２を設け、直交する長手方向の片端（短辺）に側面導体３を設け、さらに背面導体４を付加した構成である。
【００２５】
板状導体１の幅は、使用する最低周波数の波長換算で約０．２波長である。スリット２の深さは、板状導体１の横幅の８５％（０．１７波長）である。また、スリット２の幅は、使用する最低使用周波数の波長換算で約０．０２波長である。
【００２６】
板状導体１の長手方向の長さは、使用する最低使用周波数の波長換算で約０．３波長である。側面導体３の長さは、約０．０４波長、背面導体４の長さは０．１波長である。
【００２７】
板状導体１、側面導体３及び背面導体４を一つの金属板を折り曲げて形成することによって、製造コストを低減できる。
【００２８】
給電は、同軸ケーブル５にて行う。板状導体１のスリット２が設けられている面のスリット２の直前まで同軸外部導体７を電気的に接続（はんだ付けなどで）し、スリット２をまたいだ向こう岸の導体部分に同軸中心導体６を電気的に接続（はんだ付けなどで）する。なお、同軸外部導体７のはんだ付けは、板状導体１の左端接触部からスリット２の手前まで行う。
なお、図１では、板状導体１の背面導体４と対向しない側に同軸ケーブル５を接続しているが、背面導体４と対向する側に同軸ケーブルを接続しても良い。
【００２９】
図２に、第１の実施形態にかかる折り曲げ広帯域アンテナのリターンロス特性の一例を示す。各部の寸法は、横幅３０ｍｍ、縦２０ｍｍ、背面導体幅１１ｍｍ、側面導体幅４ｍｍ、スリット長さ１７ｍｍ、スリット幅２ｍｍである。
目標帯域である３．１ＧＨｚ〜４．９ＧＨｚにおいて７．５ｄＢ以下のリターンロス（ＶＳＷＲ２．５以下）が得られ、目標帯域においてアンテナとして十分な性能が得られている。
【００３０】
このように、本実施形態においては、３．１〜４．９ＧＨｚを目標帯域とした場合には、概ね縦２０ｍｍ×横３０ｍｍ×高さ４ｍｍの大きさのアンテナで所望のアンテナ特性が得られる。この場合、波長換算で０．２×０．３×０．０４波長の大きさとなるため、従来技術（特許文献１）と比較してアンテナが占める面積を約２／３の大きさに低減できる。
また、回路基板そのものを折り曲げる訳ではないため、従来技術（特許文献２）と比較して薄型化が可能である。
【００３１】
さらに、従来では４７０ＭＨｚ〜６２０ＭＨｚまでの帯域が有効であったため、比帯域が約２８％であったのに対し、本実施形態では３．１ＧＨｚ〜４．９ＧＨｚまで使用できるため、比帯域は４５％となる。
このように、本実施形態にかかる折り曲げ広帯域アンテナは、従来と比較して２倍近く広い帯域で有効に作用する。
【００３２】
〔第２の実施形態〕
本発明を好適に実施した第２の実施形態について説明する。図３に、本実施形態にかかる折り曲げ広帯域アンテナの構成を示す。この折り曲げ広帯域アンテナは、上記第１の実施形態とほぼ同様の構成であるが、同軸ケーブル５の接続方法が相違する。
【００３３】
図３に示すように、同軸ケーブル５の同軸外部導体７の端部（上端部）のみを、前述の板状導体１のスリット２が設けられた面のスリット２の直前ではんだ付けしてループアンテナを形成した構造である。
すなわち、第１の実施形態においては同軸外部導体７と板状導体１とを線接触させていたのに対し、本実施形態においてはほぼ点接触としている。このような構成としても、第１の実施形態の折り曲げ広帯域アンテナと同様の効果が得られる。
【００３４】
この他については第１の実施形態と同様であるため、重複する説明は省略する。
【００３５】
〔第３の実施形態〕
本発明を好適に実施した第３の実施形態について説明する。図４は、本実施形態にかかる折り曲げ広帯域アンテナの上面斜視図である。また、図５は、本実施形態にかかる折り曲げ広帯域アンテナの底面斜視図である。また、図６は、本実施形態にかかる折り曲げ広帯域アンテナの上面図及び側面図である。
【００３６】
本実施形態において折り曲げ広帯域アンテナは、プリント基板１０をベースに構成される。まず。プリント基板１０の底面に、プリント基板の銅箔パターンで形成される板状導体１１を配置する。板状導体１１には第１の実施形態と同様にスリット１２が形成されている。板状導体１１の短辺の一端（図４では右端）には、表面導体１５、側面導体１３及び背面導体１４から形成される断面がコの字状の導体が配置されている。
【００３７】
この断面がコの字状の導体は、表面導体１５が板状導体１１の端部に電気的に接続（はんだ付けなどで）されている。
【００３８】
給電は、マイクロストリップライン１６によって行われる。プリント基板１０の上面に配置されているマイクロストリップライン１６と、プリント基板１０の底面に配置されているグランド１８とは、マイクロストリップ線路として作用する。これらは、いずれもプリント基板１０の銅箔パターンとして形成されている。
【００３９】
マイクロストリップライン１６の先端は、スリット１２の上面を渡り、渡りきったところで導通のあるスルーホール１７によって板状導体１１に接続される。これにより、板状導体１１及びマイクロストリップ線路によってループアンテナが形成される。
【００４０】
上記給電構造は、電気的には第１の実施形態と等価であるため、同様の効果が得られる。
【００４１】
〔第４の実施形態〕
本発明を好適に実施した第４の実施形態について説明する。図７は、本実施形態にかかる折り曲げ広帯域アンテナの上面斜視図である。図８は、本実施形態にかかる折り曲げ広帯域アンテナの底面斜視図である。また、図９は、本実施形態にかかる折り曲げ広帯域アンテナの上面図及び平面図である。
第３の実施形態との違いは、断面がコの字状の導体（表面導体１５、側面導体１３及び背面導体１４からなる導体）の代わりに、背面導体２２、２３及びスルーホール２４を用いて構成されている点である。
【００４２】
背面導体２２は、コの字状の導体である。背面導体２２の下側がプリント基板の銅箔パターンで形成される背面導体２３にはんだ付けされる。さらに、背面導体２３は、導通のある複数のスルーホール２４によって、板状導体１１の端部に電気的に接続されている。この構造は、背面導体２２と背面導体２３との接続の幅が小さければ、電気的には第３の実施形態と等価であるため、同様の効果が得られる。
【００４３】
〔第５の実施形態〕
本発明を好適に実施した第５の実施形態について説明する。図１０に、本実施形態にかかる折り曲げ広帯域アンテナの構成を示す。本実施形態にかかる折り曲げ広帯域アンテナは、第３の実施形態のスリット１２の向きを９０度回転させた場合と同様の構成であり、板状導体３１は、第３の実施形態での板状導体１１に相当する。
【００４４】
第３の実施形態と同様に、マイクロストリップライン３６とグランド３８とで構成されるマイクロストリップ線路によって給電がなされる。ただし、スリット１２の向きが９０度回転しているため、マイクロストリップライン３６も９０度回転した向きで配置され、スリット１２をまたいだところでスルーホール１７によって板状導体３１と電気的に接続される。
【００４５】
本実施形態にかかる折り曲げ広帯域アンテナは、電気的には第３の実施形態と等価であるため、同様の効果が得られる。
【００４６】
〔第６の実施形態〕
本発明を好適に実施した第６の実施形態について説明する。図１１に、本実施形態にかかる折り曲げ広帯域アンテナの構成を示す。この折り曲げ広帯域アンテナは、第４の実施形態でのスリット１２を９０度回転させた場合と同様の構成であり、板状導体３１は、第４の実施形態での板状導体１１に相当する。
【００４７】
第４の実施形態と同様に、マイクロストリップライン３６とグランド３８とで構成されるマイクロストリップ線路によって給電がなされる。ただし、スリット１２の向きが９０度回転しているため、マイクロストリップライン３６も９０度回転した向きで配置されている。
【００４８】
本実施形態にかかる折り曲げ広帯域アンテナは、電気的には第４の実施形態と等価であるため、同様の効果が得られる。
【００４９】
〔第７の実施形態〕
本発明を好適に実施した第７の実施形態について説明する。図１２に、本実施形態にかかる折り曲げ広帯域アンテナの構成を示す。この折り曲げ広帯域アンテナは、上記第３の実施形態とほぼ同様の構成であるが、スルーホールを備えていない点で相違する。
マイクロストリップライン１６の右先端部とスリット１２から突出する長さＳとを調整してインピーダンス整合を取っている。
【００５０】
図１３に、給電部の構成例を示す。（ａ）は上面図であり、（ｂ）〜（ｄ）は、（ａ）におけるマイクロストリップライン１６の先端部分の変形例を示す。（ｂ）は先端部４５が方形、（ｃ）は先端部４６が三角形、（ｄ）は先端部４７が楕円形の構成である。スリット１２から突出する長さＳと先端部の形状及び大きさとを調整することでインピーダンス整合を取ることができる。なお、マイクロストリップライン１６の先端部の形状は図示した例とは異なる形状であってもよく、所望のアンテナ特性が得られるのであれば任意の形状を適用できる。
【００５１】
〔第８の実施形態〕
本発明を好適に実施した第８の実施形態について説明する。図１４に、本実施形態に係る折り曲げ広帯域アンテナの構成を示す。この折り曲げ広帯域アンテナは、第７の実施形態とほぼ同様であるが、プリント基板１０の代わりに絶縁体５１を用いて構成されている。
スリット５３を備えた板状導体５２は、絶縁体５１の背面に配置されており、板状導体の端部は絶縁体５１の前面側に折り返されている。絶縁体５１の前面には背面のスリット５３を跨ぐように棒状導体５４が配置されている。同軸ケーブル５の同軸中心導体６は、棒状導体５４と電気的に接続されており、同軸外側導体７は板状導体５２と電気的に接続されている。
【００５２】
絶縁体５１は、布、スポンジ、フィルム、ＦＰＣなどの折り曲げることが可能な絶縁体である。ソフトアンテナ５０は、背面にマジックテープ（登録商標）５５を備えており、衣服や鞄などに貼り付けて使用できるようになっている。
【００５３】
図１５に、本実施形態にかかる折り曲げ広帯域アンテナの使用例を示す。（ａ）に示すソフトアンテナ５０にマジックテープ（登録商標）５５を、（ｂ）に示すウェア６０にマジックテープ（登録商標）５６を設けることにより、（ｃ）に示すように、衣服６０にソフトアンテナを装着できる。これにより、例えば、地上波デジタル放送などの受信用のソフトアンテナ５０を衣服６０に貼り付けた状態で携帯し、受信機能付きの携帯端末のアンテナ端子に接続して、良好な受信状態での視聴が可能となる。
【００５４】
なお、上記各実施形態は本発明の好適な実施の一例であり、本発明はこれらに限定されることはない。
例えば、上記実施形態では、給電のために同軸ケーブルを用いる構成を例としてあげたが、ツイストペアケーブルなどの他の構造の線路を用いても同様の効果が得られる。
このように、本発明は、様々な変形が可能である。
【図面の簡単な説明】
【００５５】
【図１】本発明を好適に実施した第１の実施形態にかかる折り曲げ広帯域アンテナの構成を示す図である。
【図２】第１の実施形態にかかる折り曲げ広帯域アンテナのリターンロスを示す図である。
【図３】本発明を好適に実施した第２の実施形態にかかる折り曲げ広帯域アンテナの構成を示す図である。
【図４】本発明を好適に実施した第３の実施形態にかかる折り曲げ広帯域アンテナの上面斜視図である。
【図５】第３の実施形態にかかる折り曲げ広帯域アンテナの底面斜視図である。
【図６】（ａ）は、第３の実施形態にかかる折り曲げ広帯域アンテナの上面図であり、（ｂ）は、第３の実施形態にかかる折り曲げ広帯域アンテナの側面図である。
【図７】本発明を好適に実施した第４の実施形態にかかる折り曲げ広帯域アンテナの上面斜視図である。
【図８】第４の実施形態にかかる折り曲げ広帯域アンテナの底面斜視図である。
【図９】（ａ）は、第４の実施形態にかかる折り曲げ広帯域アンテナの上面図であり、（ｂ）は、第４の実施形態にかかる折り曲げ広帯域アンテナの側面図である。
【図１０】本発明を好適に実施した第５の実施形態にかかる折り曲げ広帯域アンテナの上面斜視図である。
【図１１】本発明を好適に実施した第６の実施形態にかかる折り曲げ広帯域アンテナの上面斜視図である。
【図１２】本発明を好適に実施した第７の実施形態にかかる折り曲げ広帯域アンテナの上面斜視図である。
【図１３】（ａ）は、第７の実施形態にかかる折り曲げ広帯域アンテナの上面図であり、（ｂ）、（ｃ）及び（ｄ）は、接続部の形状の例を示す図である。
【図１４】本発明を好適に実施した第８の実施形態にかかる折り曲げ広帯域アンテナの構成を示す図である。
【図１５】第８の実施形態にかかる折り曲げ広帯域アンテナの使用例を示す図であり、（ａ）は、アンテナを、（ｂ）はアンテナが装着される衣服を、（ｃ）はアンテナが装着された衣服を示す。
【図１６】従来の無線機器用のアンテナの構成を示す図である。
【符号の説明】
【００５６】
１、１１、２１、３１、５２、１０１    板状導体
２、１２、３２、５３、１０２    スリット
３、１３、３３    側面導体
４、１４、２２、２３    背面導体
５、１０５    同軸ケーブル
６、１０６    同軸中心導体
７、１０７    同軸外側導体
８    コネクタ
１０    プリント基板
１５    正面導体
１６、３６    マイクロストリップライン
１７、２４    スルーホール
１８、３８    グランド
４５、４６、４７    接続部
５０    ソフトアンテナ
５１    絶縁体
５４    棒状導体
５５、５６    マジックテープ（登録商標）
６０    衣服
【図１】
2007312024.tif 000003
【図２】
2007312024.tif 000004
【図３】
2007312024.tif 000005
【図４】
2007312024.tif 000006
【図５】
2007312024.tif 000007
【図６】
2007312024.tif 000008
【図７】
2007312024.tif 000009
【図８】
2007312024.tif 000010
【図９】
2007312024.tif 000011
【図１０】
2007312024.tif 000012
【図１１】
2007312024.tif 000013
【図１２】
2007312024.tif 000014
【図１３】
2007312024.tif 000015
【図１４】
2007312024.tif 000016
【図１５】
2007312024.tif 000017
【図１６】
2007312024.tif 000018